(57)【要約】      （修正有）【課題】簡単に繰り返し開閉でき、意図せず分離しない小型のクランプを提供。【解決手段】合成材料の環状のバンド２の両端部３、４に設けたラッチ連結する歯状連結部分１０、１１は、環形状バンドの内側を向くラッチ歯１３を有する第１のラッチ要素１２と、環形状バンドの外側を向くラッチ歯１５を有する第２のラッチ要素１４とを有する。ラッチ連結閉鎖時にこれらのラッチ要素１２、１４は連結部分１０又は１１の第１のラッチ要素１２が他方の連結部分１１又は１０の第２のラッチ要素１４と係合する。  連結部分１０、１１の第１及び第２のラッチ要素１２、１４は、バンドを長手方向に配置し、両方の連結部分１０、１１は、分割面に向いた側に支持面を有し、ラッチ連結閉鎖時に、両方の連結部分１０、１１の支持面が相互に係合する。【選択図】図１
2008116047.tif 000002
【特許請求の範囲】
【請求項１】
バンド（２）の両端部（３、４）に、協働してラッチ連結を形成する歯状連結部分（１０、１１）が設けられ、各々の連結部分（１０、１１）が、前記環状バンドの内側に向けられたラッチ歯（１３）を有する第１のラッチ要素（１２）と、該環状バンドの外側に向けられたラッチ歯（１５）を有する第２のラッチ要素（１４）とを有し、ラッチ連結が閉鎖されるときに、前記ラッチ要素（１２、１４）は、どの場合にも、連結部分（１０又は１１）の前記第１のラッチ要素（１２）が他方の連結部分（１１又は１０）の前記第２のラッチ要素（１４）と係合するように配置される、前記両端部（３、４）を閉鎖部によって互いに接合することができる環状に曲げられたバンド（２）で物体を囲むための合成材料のクランプ（１）であって、該連結部分（１０、１１）の該第１のラッチ要素（１２）及び該第２のラッチ要素（１４）は、該バンド（２）を長手方向に、特に中央で分割する面の両側に配置され、両方の連結要素（１０、１１）の該ラッチ要素（１２、１４）は、どの場合にも、前記分割面に向いた側に、支持面（１８、１９）を有し、前記支持面（１８、１９）は、該ラッチ連結が閉鎖されたときに、一方の連結部分（１０）の該ラッチ要素（１２、１４）の支持面（１８、１９）が、他方の連結部分（１１）の該ラッチ要素（１２、１４）の対応する支持面（１８、１９）と係合するように配置されることを特徴とするクランプ（１）。
【請求項２】
前記２つの第１のラッチ要素（１２）の前記支持面（１８）は、前記バンド（２）の長手方向に延びているリブ（２０）によって部分的に形成され、かつ、前記連結部分（１０、１１）の外側に配置されることを特徴とする請求項１に記載のクランプ。
【請求項３】
両方の連結部分（１０、１１）において、前記第１のラッチ要素（１２）は、前記第２のラッチ要素（１４）より長く、前記バンド（２）の長手方向に見たときに、該第１及び第２のラッチ要素（１２、１４）の前記ラッチ歯（１３、１５）が互いから離れた距離を有することを特徴とする前記請求項のいずれかに記載のクランプ。
【請求項４】
前記第１及び第２のラッチ要素（１２、１４）の前端部には、嵌合方向に、前記ラッチ歯（１３、１５）の前にくるランプ面（１６、１７）が設けられることを特徴とする前記請求項のいずれかに記載のクランプ。
【請求項５】
前記第１のラッチ要素（１２）の前記支持面（１８）は、前記バンド（２）を長手方向に分割する面に対して、該支持面（１８）が該ラッチ要素（１２）の自由端の方向に、前記分割面から離れるように傾斜された送りスロープを有することを特徴とする前記請求項のいずれかに記載のクランプ。
【請求項６】
前記バンド（２）は、硬い弾性の合成材料からなることを特徴とする前記請求項のいずれかに記載のクランプ。
【請求項７】
前記バンド（２）には、長手方向のリブ（８）が設けられることを特徴とする前記請求項のいずれかに記載のクランプ。
【請求項８】
フィルムヒンジ（５）が、前記ラッチ連結の反対の側に設けられることを特徴とする前記請求項のいずれかに記載のクランプ。
【請求項９】
前記バンドを基部に締結するために、前記バンド（２）の外側上に、スリーブ状又はくぎ形状の保持要素（９）が形成されることを特徴とする前記請求項のいずれかに記載のクランプ。
【発明の詳細な説明】
【技術分野】
【０００１】
本発明は、バンドの両端部に協働してラッチ連結を形成する歯状連結部分が設けられ、各々の連結部分が、環状バンドの内側に向けられたラッチ歯を有する第１のラッチ要素と、環状バンドの外側に向けられたラッチ歯を有する第２のラッチ要素とを有し、ラッチ連結が閉鎖されるときに、これらのラッチ要素が、どの場合にも、連結部分の第１のラッチ要素が他方の連結部分の第２のラッチ要素と係合するように配置される、両端部を閉鎖部によって互いに接合することができる環状に曲げられたバンドで物体を囲むための合成材料のクランプに関する。
【背景技術】
【０００２】
示される種類のクランプが、独国特許第８，１２８，７１１  Ｕ１号に開示される。この周知のクランプにおいては、第１及び第２のラッチ要素のラッチ歯が、どの場合にも、一方が他方の上になるように配置されるので、ラッチ連結は、環形状のバンドに関して半径方向にかなりのスペースを必要とする。横方向においては、ラッチ要素が互いにしっかりと固定されないので、クランプを開放するために、連結部分を互いに対して横方向に移動させることが可能である。しかしながら、このことは、連結部分が互いに対して横方向に移動されることにもなり、クランプが意図せず開放することあるという不利な点と関連している。
【０００３】
さらに、独国特許第３，６２４，３８３  Ａ１号は、バンドの一端に配置された連結部分は、外方に向けられたラッチ歯を有するラッチ要素を有し、かつ、バンドの長手方向に通っている他方の連結部分のトンネル・チャネルを通してバンドの他方の端部に嵌合されることが可能であり、他方の連結部分は、トンネル・チャネルの出口において、第１の連結部分のラッチ歯に係合する、内方に向けられたラッチ歯を有するラッチアームを有する、クランプを開示する。このように、ラッチ連結は、分離されないように固定され、ラッチアームを上方に曲げることによって開放することが可能である。ここで、トンネル・チャネルを形成する連結部分の設計が複雑であること、及び、この連結部分が軸方向及び半径方向に相対的に大きい寸法を有することは、不利である。
【発明の開示】
【発明が解決しようとする課題】
【０００４】
本発明の目的は、簡単な方法で繰り返し開閉できるラッチ連結を有し、意図せず分離しないように大きな安全性を提供し、かつ、小さい外のり寸法によって特徴付けられる、最初に述べた種類のクランプを獲得することである。さらに、このクランプは、製造が簡単で、安価でなければならない。
【課題を解決するための手段】
【０００５】
この目的は、請求項１に示される特徴を有するクランプによって達成される。このクランプの有利な改良点が、付加的な請求項に示される。
本発明によると、連結部分の第１及び第２のラッチ要素が、長手方向に、特に中央でバンドを分割する面の両端に配置され、両方の連結部分のラッチ要素は、どの場合にも、分割面に向いた側に支持面を有し、該支持面は、ラッチ連結が閉鎖されたときに、一方の連結部分のラッチ要素の支持面が、他方の連結部分のラッチ要素の対応する支持面に係合状態になるように配置される。
【０００６】
本発明によるラッチ連結の設計は、バンドの長手方向に隣接する２つのラッチ区域が形成されるため、半径方向のラッチ連結の全高は、非常に小さいものである。さらに、各々の連結部分には、連結部分を全ての方向に互いに支持し、このため連結部分が互いにしっかりと接合される２つのラッチ装置がある。バンドの長手方向の引っ張り応力の下で、互いにフックされたラッチ歯は、第１の場合において、連結部分に対抗し、かつ、ラッチ連結を互いに保持し、一方、ひとたび内側から及びひとたび外側から相互に重なり合うラッチ要素は、連結部分を半径方向に効果的に支持する。最後に、ラッチ要素上の支持面により、連結部分が横方向に互いに支持され、よって、連結部分をばらばらにできなくなる。
【０００７】
本発明によると、さらに、バンドの長手方向に延びているリブによって、２つの第１のラッチ要素の支持面は、部分的に形成し、かつ、連結部分の外側に配置することが可能である。リブのために、連結をラッチするときの支持の長さが拡大され、ラッチ連結の曲げ抵抗が増大される。本発明の別の提案に従って、両方の連結部分において、第１のラッチ要素が第２のラッチ要素より長く、バンドの長手方向に見たときに第１及び第２のラッチ要素のラッチ歯が離れた距離を有する場合、リブによって延長された支持面は、さらに有利である。次いで、リブは、どの場合でも、第１のラッチ要素の前端部のために横方向の支持を形成し、これにより、横方向におけるラッチ連結の安定性がもたらされる。
２つの連結部分の噛み合いを容易にするために、第１及び第２のラッチ要素の前端部には、嵌合方向に、ラッチ歯の前にくるランプ面が設けられる。さらに、どの場合にも、第１のラッチ要素の支持面は、バンドを長手方向に分割する面に対して、支持面がラッチ要素の自由端の方向に該面から離れるように傾斜された送りスロープを有することができる。
【０００８】
本発明によると、バンドは、硬い弾性の合成材料からなり、その固有の安定性を増大させるために、長手方向のリブを設けることができる。バンドの開閉を容易にするために、ラッチ連結の反対の側に、フィルムヒンジを付加的に設けることもできる。バンドを基部に締結するために、付加的に、バンドの外側にスリーブ状又はくぎ形状の保持要素を形成することができる。
本発明は、図面に示される例示的な実施形態によって、以下に詳細に説明される。
【発明を実施するための最良の形態】
【０００９】
図に示されるクランプ１は、熱可塑性合成材料で一部品に作製され、２つの端部３、４間のほぼ中央において、フィルムヒンジ５によって２つのバンド部分６、７に分割される、開放環の形状の平坦なバンド２を有する。バンド部分６、７は、外側にある長手方向のリブ８によって補強される。バンド部分７においては、スリーブ状の締結要素９が、ほぼ中央において外側に形成されており、この要素は、バンド２をねじ付きスタッドに締結するように設計される。スリーブ状の締結要素９の代わりに、例えば、締結用アパーチャに挿入するための締結ピンのような、何らかの他の方法で設計された締結要素を代替的に設けることもできる。
【００１０】
保持されるべき物体を挿入した後に、例えば、配線用ハーネスのようなクランプ１を簡単な方法で閉鎖することができるように、ラッチ連結の連結部分１０、１１が、バンド２の端部３、４に形成される。連結部分１０、１１は、実質的に同じである。しかしながら、連結部分１１は、連結部分１０に対して１８０°回転されるので、連結部分１０の左側が、連結部分１１の反対側の右側になる。連結部分１０、１１は、バンド２の内側に向けられたラッチ歯１３をもつより長い第１のラッチ要素１２と、バンド２の外側に向けられたラッチ歯１５をもつより短い第２のラッチ要素１４とを有する。ラッチ歯１３、１５から、連結部分が互いに嵌合されたとき、互いに割り当てられたラッチ歯１３、１５が通過し、該ラッチ歯１３、１５が容易にラッチ位置に来ることができる、傾斜したランプ面１６、１７が、どの場合にも、ラッチ要素１２、１４の前端部まで完全に延びる。
【００１１】
ラッチ要素１２、１４は、どの場合にも、バンド２を長手方向に中央で分割する面の両側において連結部分１０、１１上に配置される。この面に向いた側に、各々のラッチ要素１２、１４が、支持面１８、１９を有する。ラッチ要素１２の支持面１８は、連結部分１０、１１の外側に配置され、かつ、バンド２の長手方向に延びるリブ２０によって部分的に形成される。さらに、支持面の前方領域において、支持面１８は、中心面からの距離がラッチ要素１２の前端部の方向に増大するような方法で、バンド２の中心面に傾斜している。このことにより、ラッチ連結の閉鎖が容易になる。
【００１２】
ラッチ連結を閉鎖するために、連結部分１０、１１が互いに嵌合される。その結果、連結部分１０のラッチ要素１２のランプ面１６が、連結部分１１のラッチ要素１４のランプ面１７と係合するようになり、同時に、連結部分１１のラッチ要素１２のランプ面１６が、連結部分１０のラッチ要素１４のランプ面１７と係合するようになる。したがって、ラッチ要素１２は、ラッチ要素１４により両方の連結部分１０、１１において外側に押し付けられ、それらのラッチ歯１３がラッチ歯１５の上に摺動し、該ラッチ歯１５の後ろ側にラッチ（掛止め）されるのに十分なだけ遠く弾性的に変形される。ラッチイン位置において、全ての４つのラッチ歯が互いに係合状態になり、それらの係合長さは、ほぼバンド２の全幅に対応する。したがって、比較的高い保持力を一方のバンド端部から他方のバンド端部に伝えることができる。同様に、連結部分１０、１１も互いに横方向に支持される。一方向においては、互いにある支持面１８が、連結部分１０、１１の横方向の相対的な動きを防止する。他の方向においては、互いにある支持面１９が、これを行う。内側にある連結部分１０、１１のラッチ要素１４は、これらが隣接するバンド２の輪郭を超えて内方に突出しないように設計される。そのため、閉鎖したクランプは、内側に邪魔な突起がない環を形成する。外側にあるラッチ要素１２の自由端は、グリップ要素を形成し、このグリップ要素により、手で又は工具を用いて自由端を把持し、ラッチ歯が係合から解除するのに十分なだけ遠くに外方に曲げることができ、連結部分１０、１１を分離できるようになる。したがって、クランプを再び開放することができる。しかしながら、意図せず分離しないように大きな安全性が与えられるため、開放には、両方のラッチ要素を同時に曲げることが必要とされる。
【図面の簡単な説明】
【００１３】
【図１】開放状態の、本発明に従ったクランプの斜視図である。
【図２】開放したラッチ連結の領域における、図１のクランプの外側の図である。
【図３】図１のクランプの側面図である。
【符号の説明】
【００１４】
１：クランプ
２：バンド
３、４：先端
５：フィルムヒンジ
６、７：バンド部分
８、２０：リブ
９：締結要素
１０、１１：連結部分
１２、１４：ラッチ要素
１３、１５：ラッチ歯
１６、１７：ランプ面
１８、１９：支持面
【図１】
2008116047.tif 000003
【図２】
2008116047.tif 000004
【図３】
2008116047.tif 000005